(57)【要約】この発明は飛行体発射装置（１０）に関する。この発明はまた飛行体発射装置（１０）の使用方法に関する。【選択図】図１
2020524774.tif 000002
【特許請求の範囲】
【請求項１】
フレキシブルエアバッグと可動体とを有する飛行体発射装置であって、フレキシブルエアバッグの一部が飛行体発射装置の一部に固定されており、フレキシブルエアバッグの他の一部がカップリングを介して可動体に接続されているものにおいて、可動体がフレキシブルエアバッグから離れる方向に移動したときにカップリングを介してフレキシブルエアバッグに働きかけることによりフレキシブルエアバッグを開いてフレキシブルエアバッグ内に大気を導入させ、可動体がフレキシブルエアバッグに近付く方向に移動したときにフレキシブルエアバッグの開口から空気を排出して飛行体発射装置から飛行体を発射させるように構成されてなる飛行体発射装置。
【請求項２】
前記可動体は、フレキシブルエアバッグに向けて重力で倒れるように設計されている、請求項１に記載の飛行体発射装置。
【請求項３】
前記可動体は、そこから倒れる位置まで好ましくは手で引き上げられる、請求項１に記載の飛行体発射装置。
【請求項４】
前記可動体は、飛行体発射装置の一部にピボット回転可能に設けられ、そのピボット軸を中心として倒れ込むように移動する、請求項２または３に記載の飛行体発射装置。
【請求項５】
前記カップリングは非伸縮性材料で形成される、請求項１ないし４のいずれかに記載の飛行体発射装置。
【請求項６】
フレキシブルエアバッグは、可動体の衝撃付与面と飛行体発射装置の衝撃支持面との間に配置され、衝撃付与面および衝撃支持面はいずれも実質的に平坦である、請求項１ないし５のいずれかに記載の飛行体発射装置。
【請求項７】
衝撃付与面および衝撃支持面は、フレキシブルエアバッグが圧縮された状態のときにフレキシブルエアバッグの大半に重なるように設計されている、請求項６に記載の飛行体発射装置。
【請求項８】
前記可動体は、そこから倒れる位置で、機械的であって良いトリガー機構によって飛行体発射装置の一部に解放可能に取り付けられる、請求項１ないし７のいずれかに記載の飛行体発射装置。
【請求項９】
飛行体発射装置が飛行体のためのチューブを有し、フレキシブルエアバッグが該チューブの内部と気通する開口を有する、請求項１ないし８のいずれかに記載の飛行体発射装置。
【請求項１０】
飛行体が、好ましくは円形断面を有し、より好ましくは球形であり、最適には卓球ボールである、請求項１ないし９のいずれかに記載の飛行体発射装置。
【発明の詳細な説明】
【技術分野】
【０００１】
本発明は飛行体発射装置に関する。
【発明の概要】
【０００２】
本発明の目的は、改良された飛行体発射装置および／または少なくとも一の代替的な飛行体発射装置および／または新規の用途を有する飛行体発射装置を提供することである。
【０００３】
本発明によれば、請求項１に記載の飛行体発射装置が提供される。
【０００４】
疑念を避けるために言えば、請求項１に記載される球状断面形状の物体は請求項１の特徴ではない。そうではなく、それは請求項の特徴と関連性を有する特徴である。
【０００５】
本発明による飛行体発射装置の他の選択的および好適な特徴事項が従属請求項、明細書および図面に記載されている。独立請求項の特徴事項は、一または複数の他の独立請求項、従属請求項、および／または明細書に記載の一または複数の特徴事項、および／または図面に示される一または複数の特徴事項と任意に補完的に組み合わせることができ、そのような特徴事項の組み合わせも本発明の実施態様であることが認識されるであろう。
【０００６】
本発明による飛行体発射装置および飛行体発射装置キットについて、以下の添付図面を参照して詳述する。
【図面の簡単な説明】
【０００７】
【図１】第一の動作状態（空気注入状態）にある飛行体発射装置の側面図である。
【図２】第二の動作状態（空気排出状態）にある飛行体発射装置の側面図である。
【図３】図１の飛行体発射装置の平面図である。
【図４】図２の飛行体発射装置の平面図である。
【図５】図１の飛行体発射装置をＢ方向から見た端面図である。この図において、単純化および明瞭化のために、図１のＡ−Ａ線より右側の詳細は図示省略されている。
【図６】この飛行体発射装置キットの装填部材を示す斜視図である。装填部材は飛行体発射装置と共に用いられる。
【図７Ａ】図１のＡ−Ａ線で切断してＤ方向から見た飛行体発射装置の部分断面図である。
【図７Ｂ】図１の飛行体発射装置をＣ方向から見た端面図である。この図において、単純化および明瞭化のために、図１のＡ−Ａ線より左側の詳細は図示省略されている。
【図８】この飛行体発射装置を斜め前方から見た斜視図である。
【図９】チューブが第二の傾斜角度を有する状態で示す、飛行体発射装置の空気注入状態側面図である。
【図１０】錘が追加された飛行体発射装置においてボールがチューブに装填され、空気が注入された状態の側面図である。
【図１１】錘が追加された飛行体発射装置において空気が排出され、ボールがチューブから発射された直後の状態の側面図である。
【発明を実施するための形態】
【０００８】
図１および図２を参照して、飛行体発射装置１０は、支持構造体１２、支持構造体の衝撃支持面１６上に配置されたフレキシブルエアバッグ１４、およびチューブ１８を有する。チューブの内部はフレキシブルエアバッグ１４の内部と空気流通可能に通じている。図示実施形態では、フレキシブルエアバッグ１４が開口２０（図７Ａに符号２０として模式的に示されている）を有し、その地点でフレキシブルエアバッグ１４がチューブ１８の一端に接続され、チューブ１８の内部とフレキシブルエアバッグ１４の内部とが直接的に通じている。フレキシブルエアバッグ１４がチューブ１８の一端に直接的に接続されない他の実施形態、すなわちフレキシブルエアバッグ１４が一または複数の中間部品を介してチューブ１８の一端に接続される実施形態も想定可能であり、このような実施形態も本発明の範囲内である。
【０００９】
チューブ１８は硬質で曲がらない透明材料で形成され、チューブ１８の内面は球形断面形状を有し、ボール１０２（または他の球形断面形状を有する飛行体）を収容するように設計されている。本発明の他の実施形態では、チューブ１８の内面が非球形の断面形状を有するものとすることができる。チューブ１８の内面は、ボール１０２が空気と共にチューブ内を通過するときに生じる摩擦を最小化するために平滑に形成されている。図においてチューブ１８はその実際の長さと比べると途中で切った状態で示されているが、図８では例外的にチューブがその全長で示されている。
【００１０】
衝撃支持面１６は硬質材料で形成され、平坦または実質的に平坦である。
【００１１】
「エアバッグ」の語は空気のためのバッグまたは容器である。フレキシブルエアバッグ１４は、蛇腹のようにフレキシブルであるが、それ自体は弾性を有しない。
【００１２】
図５および図１０を参照して、飛行体発射装置１０は、チューブ１８からエアバッグに通入しようとするボールを停止させるボール停止部材２２を有する。ボール停止部材２２は任意の形状を有することができるが、その形状はチューブ内部での停滞を最小化し、空気がチューブを通る際の摩擦を最小化するように設計されなければならない。
【００１３】
図１ないし図４、図７Ａ、図７Ｂおよび図８ないし図１１を参照して、飛行体発射装置１０は可動体３０を有する。図示実施形態では、可動体３０に取り付け取付台３１が、公知のネジファスナーを介して支持構造体１２にピボット３２を中心として回動自在に支持されている。図１、図２、図７ａ、図９、図１０および図１１を参照して、可動体３０は衝撃付与面３４を有する。衝撃付与面３４は硬質材料で形成され、平坦または実質的に平坦である。衝撃付与面３４は、ピボット３２を中心として回動したときに支持構造体１２の衝撃支持面１６と係合するように設計されている。これとは異なる他の実施形態、すなわち、可動体の衝撃付与面が移動して支持構造体の衝撃支持面と係合する他の実施形態も想定可能である。
【００１４】
図１ないし図４、図７Ａ、図７Ｂおよび図８ないし図１１を参照して、可動体３０は、該可動体３０の上面１１０（図１において上方）、言い換えれば衝撃付与面３４とは反対の面に配置された質量追加手段３６を有する。図１を参照して、質量追加手段３６は、可動体３０を挿通してナット３６ｂで固定される頭部付きネジファスナー３６ａを有する。図には、ファスナー３６ａの頭部が衝撃付与面３４から突出して示されているが、実際にはファスナー３６ａの頭部は突出することなく入り込んでいるが、あるいは衝撃支持面１６と衝撃付与面３４との間の接触に対して大きな影響を与えない程度の突出量に止まっている。図１０および図１１を参照して、質量追加手段３６に追加の錘３８を固定することができ、これにより可動体３０の有効質量、したがって該可動体が生じさせる衝撃力が増大する。
【００１５】
図３、図４、図７Ｂおよび図８を参照して、飛行体発射装置１０は、可動体３０の上面１１０に配置された第一ラッチ部材１０６を有する。
【００１６】
図１、図２、図７Ａ、図７Ｂおよび図９ないし図１１を参照して、衝撃支持面１６は、便利にはベルクロ（登録商標）ファスナーの形態を取り得る第一カップリング３９によりフレキシブルエアバッグ１４（の下面）に連結される。フレキシブルエアバッグ１４（の上側）は第二カップリング４０により衝撃付与面３４に連結される。第二カップリング４０は、エアバッグ１４の上側のベルクロ（登録商標）ファスナー４２と、可動体３０の下側のベルクロ（登録商標）ファスナー４４と、これら２つのファスナー４２，４４同士を連結するストリング４６のような非伸縮性材料とを有してなる。衝撃支持面１６および衝撃付与面３４の位置関係、フレキシブルエアバッグ１４、第一カップリング３９および第二カップリング４０の配置関係は、フレキシブルエアバッグ１４の上面をその下面から所定距離だけ離すことができるように設計されている。第一カップリング３９、第二カップリング４０およびストリング４６の長さは、衝撃支持面１６と衝撃付与面３４との間の接触に対して大きな影響を与えないように寸法付けられている。
【００１７】
図１、図３、図４、図７Ｂおよび図８ないし図１１を参照して、飛行体発射装置１０は可動体アクティブ化装置５０を有する。可動体アクティブ化装置５０は支持構造体１２上に載置される。
【００１８】
図１、図２、図８および図９ないし図１１を参照して、可動体アクティブ化装置５０は第二ラッチ部材５２を有する。図３および図４を参照して、可動体アクティブ化装置５０はさらにトリガー機構５４を有する。
【００１９】
第二ラッチ部材５２は、衝撃付与面３４が衝撃支持面１６から離れる方向に移動して第一ラッチ部材１０６と第二ラッチ部材５２とが互いに接触・係合したときに第一ラッチ部材１０６と向かい合うように配置されている。
【００２０】
第二ラッチ部材５２は一対のアームを有する。トリガー機構５４は一対のアームを有する。図では若干明瞭でないが、トリガー機構５４のアームは第二ラッチ部材５２のアームと概して整列している。第二ラッチ部材５２のアームとトリガー機構５４のアームとは公知の洗濯ばさみのようにバネ付勢されたピボットで連結されている。トリガー機構が作動しないときは、該バネ付勢ピボットは第二ラッチ部材５２の２つのアームを一直線に整列させて、これらの間に開口５３（図２および図８参照）を与えるが、トリガー機構５４の２つのアームが動いたときに第二ラッチ部材５２のアームとの２つのアームが離れる方向に動いて、第一ラッチ部材１０６を解放する。
【００２１】
図示の実施形態では、第一ラッチ部材１０６はピンまたはそれに類したものであり、第二ラッチ部材５２は手で弾性変形させることができる保持手段である。しかしながら、第一ラッチ部材１０６と第二ラッチ部材５２の位置付けを反対にしても良いことを理解できるであろう。
【００２２】
第一ラッチ部材１０６と第二ラッチ部材５２とによる「係合」について記述したが、可動体３０と支持構造体１２とが他の形態で連結されるものであっても良い。
【００２３】
図１０および図１１を参照して、飛行体発射装置１０には、さらに、支持構造体１２の追加質量体ホルダー６２に追加の錘６０（単数または複数）を配置することができる。
【００２４】
図１ないし図５、図８および図９ないし図１１を参照して、飛行体発射装置１０は、傾斜角度すなわち水平に対する傾斜角度を調整してその傾斜角度に固定することができるチューブ傾斜角度調整／固定手段７０を有する。図１ないし図５および図８ないし図１１を参照して、チューブ傾斜角度調整／固定手段７０は、第一チューブ傾斜角度調整部７２を有する。図１ないし図４および図８ないし図１１を参照して、チューブ傾斜角度調整／固定手段７０は、さらに第二チューブ傾斜角度調整部７４を有する。
【００２５】
図８および図９を参照して、第一チューブ傾斜角度調整部７２は、支持構造体１２上の第一の地点において該支持構造体の離れた部材８２，８４（図５参照）の間に延長する軸７６に回転可能に取り付けられている。図８および図１０を参照して、第一チューブ傾斜角度調整部７２は窓７８を有し、そこにチューブ１８が設けられる。
【００２６】
図１を参照して、第二チューブ傾斜角度調整部７４は、支持構造体の第二の場所において軸８９によって該支持構造体のアーム８８に回転可能に取り付けられた細長い部材８６を有する。この細長部材８６は（閉じられた）通路９０を有する。図１ないし図５および図８を参照して、第二チューブ傾斜角度調整部７４はさらにチューブ取付板９２を有する。頭部付きのピン９４が通路９０を通ってチューブ取付板９２に入り込み、この頭部付きピンにより、細長部材８６をチューブ取付板９２に所定の傾斜角度に対応する位置に調整して固定することができる。図１を参照して、図示実施形態では、細長部材８６には、水平に対するチューブ１８の傾斜角度を測定できるように、通路９０の概して全長に亘って目盛り９６が付けられている。
【００２７】
図１、図５、図７Ｂおよび図１０を参照して、飛行体発射装置１０はボール１０２を収容するボール容器１００を備える。ボール容器１００は、図１において右から左下がりに傾斜したチューブからなり、これにより、ボールが、チューブ１８の開放端に近接するボール容器左端に向けて転がっていく。図１、図８および図１０を参照して、ボール容器１００の左端において、該ボール容器はバンパー型ストッパー１０１を備え、そこに形成される凹部に（次に使用する）ボール１０２を保持し、作業者によって簡単に取り出すことができるようにしている。
【００２８】
図６を参照して、飛行体発射装置１０は装填部材１０４を備える。装填部材１０４のハンドル１０５は該装填部材の細長棒状部より大きい径を有する。細長棒状部の長さは、棒状部をチューブ１８内に挿入していってハンドル１０５がチューブ１８の端部で係止されたときに、チューブ１８内において棒状部の先端とボール停止部材２２との間に位置するボール１０２がチューブ１８の軸方向に移動可能とするための空間を有し、これによりボールまたは停止部材の損傷を回避するような寸法に設計されている。ハンドル１０５は、チューブ１８の内径より大きい径を有する円形の断面形状を有し、これにより装填部材がチューブ１４８内に完全には入り込まないようにしている。
【００２９】
図示実施形態による飛行体発射装置１０はカノン砲に近似していることが分かるであろう。
【００３０】
飛行体発射装置キットは、飛行体発射装置１０と、ボール１０２と、追加の錘６０とからなる。
【００３１】
飛行体発射装置１０の使用方法について下記する。
【００３２】
図１ないし図１０を参照して、任意的に、追加の錘６０を追加質量体ホルダー６２にセットする。
【００３３】
次いで、本発明に従い、可動体３０をストリング４６の長さ分だけ引き上げて、可動体３０を衝撃支持面１６から離れる方向に回動させる。これによりフレキシブルエアバッグ１４の上側が下側から離れる。フレキシブルエアバッグ１４の開口からフレキシブルエアバッグ１４内に空気が吸入される。言い換えれば、可動体３０を衝撃支持面１６から離れる方向に移動させることにより、フレキシブルエアバッグ１４を膨らませることができる。
【００３４】
図４に最も明りょうに示されるように、可動体３０の第一ラッチ部材１０６は第二ラッチ部材５２に着脱可能に係合させることができる。たとえば図１および図９を参照すれば、可動体３０のラッチ／停止位置は、該可動体の面が垂直に対して衝撃支持面１６側にわずかに寄った角度であることが分かるであろう。つまり、衝撃付与面３４と衝撃支持面１６との間の角度は９０度未満である。このようにして可動体３０は均衡状態にはなく、第二ラッチ部材５２を解除すれば直ちに衝撃支持面１６に向けて倒れていく。
【００３５】
図１０を参照して、最適には卓球のボールのような形態であるボール１０２をボール容器１００から取り出す。本発明によれば、卓球ボールは軽量であり、平滑で硬質で低摩擦の外面を有し、たとえばテニスボールなどの他のボールと比べてもその大きさが製造者を問わずに高度に規格化されていることから、卓球ボールの使用が思慮深く選択された。
【００３６】
図１０を参照して、ボール１０２が必要なとき、それをボール容器１００のバンパー型ストッパー１０１から取り出す。
【００３７】
装填部材１０４は、使用されないときは図３ないし図５に示すように格納されているが、これを使用することによりボール１０２をチューブ１８内に挿入して、ボール停止部材２２に近接した位置またはボールによりボール停止部材２２に圧力がかからない程度に当接した位置まで押し込む。ボール１０２はチューブ１８に密接または実質的に密接しているので、チューブ１８とフレキシブルエアバッグ１４との間の空気流通を制限する。
【００３８】
可動体３０を開いてエアバッグを膨らませる。ボール１０２を挿入する。ボールの径はチューブ１８の内径よりわずかに小さいので、エアバッグを膨らませる前にボールをチューブ内に装填すると、空気抵抗に逆らってボールを押し込んでいかなければならない。好適な工程順はエアバッグを膨らませた後にボールを装填することであり、ボールが先に装填されている場合と比べると大きい開口を通じてスムーズに空気をエアバッグ内に吸入させることができ、フレキシブルエアバッグ１４およびカップリング４０並びにその部材４２，４４，４６の負担を軽減することができる。さらに、エアバッグを膨らませた後にボールをチューブに押し込むことにより、フレキシブルエアバッグ１４内に追加の空気を送り込んでさらに大きく膨らませることができる。
【００３９】
チューブ１８の傾斜角度はチューブ傾斜角度調整／固定手段７０を用いて任意に調節することができる。
【００４０】
次いで、トリガー機構５４を押して第二ラッチ部材５２の２つのアームを互いに離れる方向に移動させる。これにより第二ラッチ部材５２から第一ラッチ部材１０６が解放される。可動体３０が均衡位置にないことから、これにより可動体３０が図示実施形態ではピボット回転して倒れ、衝撃付与面３４が衝撃支持面１６に衝突する。
【００４１】
この衝撃でフレキシブルエアバッグ１４内の空気が開口２０から出てチューブ１８内に送り込まれ、その圧力でボール１０２が飛行体としてチューブから発射される。
【００４２】
飛行体発射装置１０はボール１０２を再装填して再使用することができる。複数個のボール１０２をチューブ１８に同時に装填することができ、同時に発射させることも可能であるが、複数個のボールを同時に発射すると飛行性能が低下する。
【００４３】
本発明によれば、飛行体発射装置１０の再装填は非常にシンプルである。
【００４４】
飛行体発射装置１０は、可動体３０に追加の錘３８を配置しなくてもボール１０２を発射できるように設計されているが、それが望まれる場合は、飛行体発射装置１０がボール１０２をより遠くまで飛ばすことができるようにするために追加の錘を可動体に配置することができる。
【００４５】
図示実施形態では、トリガー機構５４は手で押すことによって起動する。このトリガー機構５４はもっぱら機械的なものであるが、本発明の他の実施形態（簡潔のために図示せず）において、トリガー機構を電気的、電子的または他の好適な手段として形成することができる。たとえば、可動体３０に磁石を設けると共に支持構造体１２に電磁石を設け、磁石を保持または開放するためのスイッチとして電磁石を用いることができる。
【００４６】
飛行体発射装置１０は全体としてもっぱら機械的であるが、飛行体発射装置１０のパーツについて非機械的に形成しても良い。
【００４７】
飛行体発射装置１０は、発射音などの音響効果を生成する手段を設けて、これをトリガー機構によって飛行体の発射と同時に作動するようにしても良い。
【００４８】
一実施形態において、飛行体発射装置１０は、追加の錘を除いて約２．２ｋｇの全質量を有する。組立状態において、飛行体発射装置１０の最大寸法は１メートル未満である。すなわち、飛行体発射装置１０は、非常に携帯性に優れているという利点を有する。さらに、飛行体発射装置１０の設計および非常に軽量な卓球ボールの使用およびその動作速度は、その適正な使用の範囲内において、飛行体発射装置から発射されたボール１０２が人に衝突しても、ボール１０２から受ける衝撃は概して有害ではない。既述した主な実施形態において、飛行体発射装置１０は、玩具として、または科学実験などの教育目的に好適に使用される。
【００４９】
一実施形態において、飛行体発射装置１０は主として木材で形成される。しかしながら、飛行体発射装置１０は他の好適な材料で形成されても良い。飛行体発射装置１０は分解することができる。飛行体発射装置１０の組立は、Ｌｅｇｏ（登録商標）またはＭｅｃｃａｎｏ（登録商標）と同様のゲームのようなチャレンジ意欲をユーザーに与える。さらに、飛行体発射装置１０を分解することは、保管量およびパッケージングを最小にするために適している。
【００５０】
幾つかの図に引用される飛行体発射装置１０のパーツは他の図においても適用されるものとして解釈される。幾つかの図に引用される飛行体発射装置１０のパーツは他の図においては適用されないものとして解釈される。
【図１】
2020524774.tif 000003
【図２】
2020524774.tif 000004
【図３】
2020524774.tif 000005
【図４】
2020524774.tif 000006
【図５】
2020524774.tif 000007
【図６】
2020524774.tif 000008
【図７Ａ】
2020524774.tif 000009
【図７Ｂ】
2020524774.tif 000010
【図８】
2020524774.tif 000011
【図９】
2020524774.tif 000012
【図１０】
2020524774.tif 000013
【図１１】
2020524774.tif 000014
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
フレキシブルエアバッグと可動体とを有する飛行体発射装置であって、フレキシブルエアバッグの一部が飛行体発射装置の一部に固定されており、フレキシブルエアバッグの他の一部がカップリングを介して可動体に接続されているものにおいて、可動体はフレキシブルエアバッグに向けて重力で倒れることができるように設計されており、可動体がフレキシブルエアバッグから離れる方向に引き上げられたときにカップリングを介してフレキシブルエアバッグに働きかけることによりフレキシブルエアバッグを開いてフレキシブルエアバッグを大気で膨らませ、可動体がフレキシブルエアバッグに向けて落下したときにフレキシブルエアバッグの開口から空気を排出して飛行体発射装置から飛行体を発射させるように構成されてなる飛行体発射装置。
【請求項２】
飛行体発射装置は、好ましくは円形断面を有し、より好ましくは球形であり、最適には卓球ボールからなる飛行体を収容する開口を有し、フレキシブルエアバッグからの空気の流れを制限する、請求項１に記載の飛行体発射装置。
【請求項３】
前記可動体は、そこから倒れる位置まで手で引き上げられる、請求項１に記載の飛行体発射装置。
【請求項４】
前記可動体は、飛行体発射装置の一部にピボット回転可能に設けられ、そのピボット軸を中心として倒れ込むように移動する、請求項２または３に記載の飛行体発射装置。
【請求項５】
前記カップリングは非伸縮性材料で形成される、請求項１ないし４のいずれかに記載の飛行体発射装置。
【請求項６】
フレキシブルエアバッグは、可動体の衝撃付与面と飛行体発射装置の衝撃支持面との間に配置され、衝撃付与面および衝撃支持面はいずれも実質的に平坦である、請求項１ないし５のいずれかに記載の飛行体発射装置。
【請求項７】
衝撃付与面および衝撃支持面は、フレキシブルエアバッグが圧縮された状態のときにフレキシブルエアバッグの大半に重なるように設計されている、請求項６に記載の飛行体発射装置。
【請求項８】
前記可動体は、そこから倒れる位置で、機械的であって良く、好ましくは指で操作されるトリガー機構によって飛行体発射装置の一部に解放可能に取り付けられる、請求項１ないし７のいずれかに記載の飛行体発射装置。
【請求項９】
飛行体発射装置が飛行体のためのチューブを有し、フレキシブルエアバッグが該チューブの内部と気通する開口を有する、請求項１ないし８のいずれかに記載の飛行体発射装置。
【請求項１０】
飛行体が、好ましくは円形断面を有し、より好ましくは球形であり、最も最適には卓球ボールである、請求項１ないし９のいずれかに記載の飛行体発射装置。
【国際調査報告】
2020524774.tif 000015
2020524774.tif 000016
2020524774.tif 000017